(57)【特許請求の範囲】
【請求項１】
複数のユーザに対して個別に設定された健康管理のための少なくとも一つの行動目標を示す目標情報と、各ユーザによる当該行動目標の達成度合いを示す達成情報と、を各ユーザに関連付けて管理する情報管理サーバであって、
同一の因子に関連する行動目標、または、同一の疾患に関連する行動目標が少なくとも一つ設定されていることを条件としてユーザグループを特定するグループ特定手段と、
グループ特定手段が特定したユーザグループに属するユーザに対して、当該ユーザグループに属する他のユーザの上記達成情報を参照して生成した参考情報を提示する参考情報提示手段と、を備えており、
上記参考情報は、上記ユーザが上記ユーザグループにおいて上記行動目標を初めて達成したユーザであるか否かを含むことを特徴とする情報管理サーバ。
【請求項２】
端末装置を使用しているユーザを特定するユーザ特定手段と、
当該端末装置からの上記達成情報の入力を受け付ける入力受付手段と、を備え、
ユーザ特定手段が特定したユーザに関連付けて、入力受付手段が受け付けた上記達成情報を管理することを特徴とする請求項１に記載の情報管理サーバ。
【請求項３】
上記参考情報提示手段は、上記入力受付手段に上記入力を行った上記端末装置に対して上記参考情報を送信することを特徴とする請求項２に記載の情報管理サーバ。
【請求項４】
上記行動目標の達成度合いを示す上記達成情報は、当該行動目標を継続的に達成している達成期間の長さを示す継続情報を含むことを特徴とする請求項１〜３の何れか一項に記載の情報管理サーバ。
【請求項５】
上記達成情報を参照して、上記達成期間の長さが閾値を超えたユーザを特定する報酬対象特定手段と、
報酬対象特定手段が特定したユーザに対して、上記達成期間の長さが閾値を超えたことを示す情報を提示する報酬提示手段と、を備えていることを特徴とする請求項４に記載の情報管理サーバ。
【請求項６】
上記参考情報提示手段は、上記参考情報を提示するユーザに対して、上記参考情報をプッシュ通知することを特徴とする請求項１〜５の何れか一項に記載の情報管理サーバ。
【請求項７】
端末装置と、
複数のユーザに対して個別に設定された健康管理のための少なくとも一つの行動目標を示す目標情報と、各ユーザによる当該行動目標の達成度合いを示す達成情報と、を各ユーザに関連付けて管理する情報管理サーバと、を備え、
情報管理サーバは、
端末装置を使用しているユーザを特定するユーザ特定手段と、
同一の因子に関連する行動目標、または、同一の疾患に関連する行動目標が少なくとも一つ設定されていることを条件としてユーザグループを特定するグループ特定手段と、
上記端末装置に対して、グループ特定手段が特定したユーザグループであって、ユーザ特定手段が特定したユーザが属するユーザグループ、に属する他のユーザの上記達成情報を参照して生成した参考情報を送信する参考情報提示手段と、を備えており、
上記参考情報は、上記ユーザが上記ユーザグループにおいて上記行動目標を初めて達成したユーザであるか否かを含むことを特徴とする健康管理システム。
【請求項８】
複数のユーザに対して個別に設定された健康管理のための少なくとも一つの行動目標を示す目標情報と、各ユーザによる当該行動目標の達成度合いを示す達成情報と、を各ユーザに関連付けて管理する情報管理サーバの参考情報提示方法であって、
同一の因子に関連する行動目標、または、同一の疾患に関連する行動目標が少なくとも一つ設定されていることを条件としてユーザグループを特定するグループ特定ステップと、
前記グループ特定ステップにおいて特定したユーザグループに属するユーザに対して、当該ユーザグループに属する他のユーザの上記達成情報を参照して生成した参考情報を提示する参考情報提示ステップと、を含み、
上記参考情報は、上記ユーザが上記ユーザグループにおいて上記行動目標を初めて達成したユーザであるか否かを含むことを特徴とする参考情報提示方法。
【発明の詳細な説明】
【技術分野】
【０００１】
本発明は、ユーザの健康管理を支援する情報管理サーバ、そのような情報管理サーバと端末装置とを備える健康管理システム、および、情報管理サーバの参考情報提示方法に関する。
【背景技術】
【０００２】
従来、遺伝子検査等の所定の検査結果に基づく、生活習慣の改善等を目的としたカウンセリングが行われている。通常、カウンセリングはマンツーマンで行われ、カウンセリーは、カウンセラーと共に行動目標を設定し、行動計画を立ててそれを実行する。
【０００３】
ここで、近年、人々の健康への意識が高まっていることを背景として、人々の健康管理を支援するサービスの開発が盛んに行われている。
【０００４】
例えば、非特許文献１には、スマートフォンを利用してダイエット指導を行うサービスが記載されている。非特許文献１には、ユーザに対し、（ｉ）遺伝子検査、血液検査およびアンケートに基づく、栄養士によるダイエット方法の指導、（ｉｉ）栄養士との電話等による相談、および（ｉｉｉ）毎日の食事および体重に基づく栄養士の指導等を提供することが記載されている。
【先行技術文献】
【非特許文献】
【０００５】
【非特許文献１】「ＦｉＮＣ（フィンク）完全成果保証ダイエット家庭教師」、２０１４年７月１７日にｈｔｔｐｓ：／／ｄｉｅｔｃｏａｃｈ．ｆｉｎｃ．ｃｏ．ｊｐ／よりダウンロード
【発明の概要】
【発明が解決しようとする課題】
【０００６】
しかしながら、カウンセラーから指導を受けるだけでは、カウンセリーはモチベーションを十分に育てることができない場合がある。それは、非特許文献１に記載のスマートフォンを利用した非対面の指導であっても、栄養士から指導を受けるだけである以上同じである。
【０００７】
本発明は、上記の課題に鑑みてなされたものであり、ユーザの健康管理へのモチベーションを高め、ユーザによる健康管理を効果的に支援するための新規な仕組みを提供することを主たる目的とする。
【課題を解決するための手段】
【０００８】
上記の課題を解決するために、本発明の一態様に係る情報管理サーバは、複数のユーザに対して個別に設定された健康管理のための行動目標または結果目標である管理目標を示す目標情報と、各ユーザによる当該管理目標の達成度合いを示す達成情報と、を各ユーザに関連付けて管理する情報管理サーバであって、少なくとも一つの共通する種類の管理目標が設定されていることを条件としてユーザグループを特定するグループ特定手段と、グループ特定手段が特定したユーザグループに属するユーザに対して、当該ユーザグループに属する他のユーザの上記達成情報を参照して生成した参考情報を提示する参考情報提示手段と、を備えている、ことを特徴とする。
【０００９】
上記の構成によれば、ユーザに対し、共通する種類の目標を有する他のユーザの達成情報を参照して生成した参考情報を提示するという新規な仕組みにより、他のユーザに勝ちたい、といった競争心や、他のユーザが頑張っているので自分も頑張ろう、といった協調心等を喚起して、ユーザの健康管理へのモチベーションを高め、ユーザによる健康管理を効果的に支援することができる。
【００１０】
本発明の一態様に係る情報管理サーバにおいて、上記参考情報提示手段は、上記ユーザグループに属する他のユーザの上記共通する種類の管理目標の達成度合いの分布を示す情報、および、当該分布に対して上記参考情報を提示するユーザの上記共通する種類の管理目標の達成度合いの対応する位置を示す情報の少なくとも一方を含む上記参考情報を生成するものであってもよい。
【００１１】
上記の構成によれば、上記参考情報は、上記ユーザグループに属する他のユーザの達成度合いの分布を示す情報（達成度合いの分布図、管理目標を達成したユーザ数、管理目標を達成したユーザの割合等）、および、当該分布に対して当該参考情報が提示されるユーザの達成度合いの対応する位置を示す情報（達成度合いの分布図における参考情報が提示されるユーザの対応位置、参考情報が提示されるユーザの達成度合いのユーザグループ内の順位、初めて管理目標を達成したのが参考情報が提示されるユーザか否か等）の少なくとも一方を含む。
【００１２】
これにより、上記参考情報を提示されたユーザは、他のユーザの達成度合いや、他のユーザと自分との達成度合いの違いを容易に把握することができる。よって、上記の構成によれば、ユーザに対し、首尾よく、競争心や協調心等を喚起して、ユーザの健康管理へのモチベーションをより高め、ユーザによる健康管理をより効果的に支援することができる。
【００１３】
本発明の一態様に係る情報管理サーバは、端末装置を使用しているユーザを特定するユーザ特定手段と、当該端末装置からの上記達成情報の入力を受け付ける入力受付手段と、を備え、ユーザ特定手段が特定したユーザに関連付けて、入力受付手段が受け付けた上記達成情報を管理するものであってもよい。
【００１４】
上記の構成によれば、情報管理サーバは、各ユーザの上記達成情報を容易に管理することができる。
【００１５】
本発明の一態様に係る情報管理サーバにおいて、上記参考情報提示手段は、上記入力受付手段に上記入力を行った上記端末装置に対して上記参考情報を送信するものであってもよい。
【００１６】
上記の構成によれば、参考情報提示手段は、ユーザに対して上記参考情報を首尾よく提示することができる。
【００１７】
本発明の一態様に係る情報管理サーバにおいて、上記行動目標の達成度合いを示す上記達成情報は、当該行動目標を継続的に達成している達成期間の長さを示す継続情報を含むものであってもよい。
【００１８】
上記の構成によれば、上記参考情報を生成するときに、行動目標を継続的に達成している達成期間の長さを参照することができる。達成期間の長さ、換言すれば、行動の継続性は、健康管理において重要な要素であり、このような要素について他のユーザに関する情報を提示することにより、ユーザの健康管理のための行動の継続性へのモチベーションをより高め、ユーザによる健康管理をより効果的に支援することができる。
【００１９】
本発明の一態様に係る情報管理サーバは、上記達成情報を参照して、上記達成期間の長さが閾値を超えたユーザを特定する報酬対象特定手段と、報酬対象特定手段が特定したユーザに対して、上記達成期間の長さが閾値を超えたことを示す情報を提示する報酬提示手段と、を備えていてもよい。
【００２０】
上述したように、達成期間の長さ、換言すれば、行動の継続性は、健康管理において重要な要素である。このような要素が閾値を超えたことを示す情報をユーザに提示することにより、行動の継続に対する心理的報酬をユーザに与え、ユーザの健康管理のための行動の継続性へのモチベーションをより高め、ユーザによる健康管理をより効果的に支援することができる。
【００２１】
本発明の一態様に係る情報管理サーバにおいて、上記結果目標は、ユーザの特定のバイタルデータの変化であってもよい。
【００２２】
上記の構成によれば、ユーザの特定のバイタルデータの変化（例えば、体重の減少、血圧の低減、体脂肪率の低減等）といった計測可能な結果を結果目標とすることにより、ユーザによる健康管理をより効果的に支援することができる。
【００２３】
本発明の一態様に係る情報管理サーバにおいて、上記参考情報提示手段は、上記参考情報を提示するユーザに対して、上記参考情報をプッシュ通知するものであってもよい。
【００２４】
上記の構成によれば、上記参考情報をプッシュ通知することにより、ユーザが自発的に情報管理サーバにアクセスせずとも、ユーザに対して上記参考情報を提示することができるため、ユーザにおいてモチベーションが失われることを好適に防止することができる。
【００２５】
上記の課題を解決するために、本発明の一態様に係る健康管理システムは、端末装置と、複数のユーザに対して個別に設定された健康管理のための行動目標または結果目標である管理目標を示す目標情報と、各ユーザによる当該管理目標の達成度合いを示す達成情報と、を各ユーザに関連付けて管理する情報管理サーバと、を備え、情報管理サーバは、端末装置を使用しているユーザを特定するユーザ特定手段と、少なくとも一つの共通する種類の管理目標が設定されていることを条件としてユーザグループを特定するグループ特定手段と、上記端末装置に対して、グループ特定手段が特性したユーザグループであって、ユーザ特定手段が特定したユーザが属するユーザグループ、に属する他のユーザの上記達成情報を参照して生成した参考情報を送信する参考情報提示手段と、を備えていることを特徴とする。
【００２６】
上記の課題を解決するために、本発明の一態様に係る参考情報通知方法は、複数のユーザに対して個別に設定された健康管理のための行動目標または結果目標である管理目標を示す目標情報と、各ユーザによる当該管理目標の達成度合いを示す達成情報と、を各ユーザに関連付けて管理する情報管理サーバの参考情報提示方法であって、少なくとも一つの共通する種類の管理目標が設定されていることを条件としてユーザグループを特定するグループ特定ステップと、グループ特定手段が特定したユーザグループに属するユーザに対して、当該ユーザグループに属する他のユーザの上記達成情報を参照して生成した参考情報を提示する参考情報提示ステップと、を含むことを特徴とする。
【００２７】
上記の構成によれば、上記健康管理システムおよび上記参考情報通知方法は、上述の情報管理サーバと同様の効果を奏することができる。
【００２８】
本発明の各態様に係る情報管理サーバは、コンピュータによって実現してもよく、この場合には、コンピュータを上記情報管理サーバが備える各手段として動作させることにより上記情報管理サーバをコンピュータにて実現させる情報管理サーバのプログラム、およびそれを記録したコンピュータ読み取り可能な記録媒体も、本発明の範疇に入る。
【発明の効果】
【００２９】
本発明の一態様によれば、ユーザの健康管理へのモチベーションを高め、ユーザによる健康管理を効果的に支援することができる。
【図面の簡単な説明】
【００３０】
【図１】本発明の一実施形態に係る情報管理サーバおよびユーザ端末の構成を示すブロック図である。
【図２】本発明の一実施形態に係る健康管理システムの構成を示す模式図である。
【図３】本発明の一実施形態に係る実施状況・成果情報の一例を示す表である。
【図４】本発明の一実施形態に係るユーザ端末および情報管理サーバにおける処理の流れを示すシーケンス図である。
【図５】本発明の一実施形態に係る情報管理サーバによって生成される表示画面の一例を示す図である。
【図６】本発明の一実施形態に係る情報管理サーバによって生成される表示画面の他の例を示す図である。
【図７】本発明の一実施形態に係る情報管理サーバによって生成される表示画面のさらに他の例を示す図である。
【発明を実施するための形態】
【００３１】
以下、本発明の実施の形態について、詳細に説明する。ただし、以下の実施形態に記載されている構成は、特に特定的な記載がない限り、この発明の範囲をそれのみに限定する趣旨ではなく、単なる説明例に過ぎない。
【００３２】
〔健康管理システム〕
まず、本実施形態に係る健康管理システム１の構成について、図２を参照して説明する。図２は、本実施形態に係る健康管理システム１の構成を示す模式図である。
【００３３】
図２に示すように、健康管理システム１は、情報管理サーバ１０、健康情報ＤＢ（データベース）２０、ユーザ端末（端末装置）３０、検査装置４０、および、カウンセラー端末４５を含んで構成されている。
【００３４】
本実施形態に係る健康管理システム１において、ユーザ端末３０を使用するユーザは、自身の遺伝子が含まれる被験体サンプル（例えば、唾液、血液などの体液、口腔粘膜などの組織など）を所定の機関に送付する。所定の機関は、例えば、病院であってもよいし、遺伝子の解析が可能な研究施設であってもよいし、情報管理サーバ１０によるサービスを提供する機関などであってもよい。所定の機関は、ユーザから送られた被験体サンプルからユーザの遺伝子を解析し、解析結果を健康情報ＤＢ２０に格納する。
【００３５】
そして、ユーザは、カウンセラーのカウンセリングを受ける。カウンセラーは、カウンセラー端末４５を使用して、健康情報ＤＢ２０に格納されているユーザや疾患等に関する情報にアクセスすることができる。カウンセラーは、ユーザと共に、ユーザの健康管理のためのアクションを設定し、設定したアクションを健康情報ＤＢ２０に格納する。
【００３６】
そして、ユーザは、設定したアクションを実施する。情報管理サーバ１０は、ユーザによるアクションの実施を支援する。
【００３７】
なお、本明細書において、「アクション」とは、（ｉ）例えば、「一日の飲酒量を○○ｍｌ以下とする」、「一日の睡眠時間を○○時間以上とする」、「一日に野菜を○○ｇ以上食べる」、「一日に○○時間以上運動する」等の健康管理のためにユーザが行うべき行動（行動目標）と、（ｉｉ）例えば、「○ヶ月で○ｋｇ減量する」、「○ヵ月後に血圧を最高○、最低○にする」等の健康管理のためにユーザが達成すべき目標（結果目標）を包括する概念であり、「管理目標」とも記載する。
【００３８】
なお、結果目標としては、ユーザの特定のバイタルデータの変化（例えば、体重の減少、血圧の低減、体脂肪率の低減等）を設定することが好ましい。ユーザの特定のバイタルデータの変化のような計測可能な結果を達成すべき目標とすることにより、ユーザによる健康管理をより効果的に支援することができるためである。
【００３９】
（情報管理サーバ）
情報管理サーバ１０は、健康情報ＤＢ２０を用いることにより、複数のユーザに対して個別に設定されたアクションを示す情報（アクション情報）と、各ユーザによる当該アクションの実施状況および成果を示す情報（実施状況・成果情報）と、を各ユーザに関連付けて管理する。情報管理サーバ１０は、各ユーザ端末３０から、ユーザのアクションの実施状況および成果を示す情報の入力を受け付け、健康情報ＤＢ２０に格納する。
【００４０】
また、情報管理サーバ１０は、各ユーザ端末３０に対し、各ユーザ端末３０を使用するユーザと同じユーザグループに属する他のユーザの実施状況および成果を参照して生成したソーシャル画面を配信する。情報管理サーバ１０およびソーシャル画面の具体的な構成については、参照する図面を替えて後述する。
【００４１】
（健康情報ＤＢ）
健康情報ＤＢ２０には、健康に関する情報が格納されている。また、健康情報ＤＢ２０に格納されている、健康に関する情報には、以下に説明するように、（１）ユーザに関す情報、ならびに、（２）疾患および因子の少なくとも何れかに関連する情報などが含まれる。なお、疾患および因子の少なくとも何れかに関連する情報を、以降では単に「関連情報」とも記載する。
【００４２】
なお、本実施形態では、実世界に存在する疾患のうち、互いに異なる疾患を「疾患Ａ」、「疾患Ｂ」、「疾患Ｃ」、…のように記載するものとする。疾患Ａ、疾患Ｂ、疾患Ｃなどの各具体例としては、例えば、肝臓がん、前立腺がん、乳がん、食道がん、関節リウマチ、骨粗しょう症、心筋梗塞、心不全、糖尿病、２型糖尿病、慢性肝臓病、子宮体がん（子宮内膜がん）、アルツハイマー病、クローン病、喘息、歯周病、膀胱がん、高血圧、ＣＯＰＤ（慢性閉塞性肺疾患）、胃がん、膵炎、膵臓がん、静脈血栓塞栓症、脳梗塞、肺がん、メタボリックシンドローム、循環器疾患、呼吸器疾患、および、虚血性心疾患、などが挙げられるが、これらの具体例は、本実施形態を限定するものではない。
【００４３】
また、本実施形態において、疾患に関する因子には、当該疾患の原因となり得る因子である危険因子、および、当該疾患を予防し得る因子である予防因子の少なくとも何れかが含まれる。危険因子としては、例えば喫煙、肥満、および生活習慣病などが挙げられ、予防因子としては、例えば運動、および睡眠などが挙げられるが、これらの具体例もまた、本実施形態を限定するものではない。
【００４４】
ユーザに関する情報には、例えば以下の情報が含まれる。
・ユーザＩＤ：ユーザ毎に割り当てられた固有の識別子
・ユーザ基本情報：例えば名前、年齢、性別、および遺伝子情報など、各ユーザの特性を示す情報
・疾患リスク情報：ユーザが各疾患を発症するリスク（疾患リスク）の度合い（リスク度）を示す情報
・健康診断情報：ユーザが病院などで受けた健康診断および診療などに関する情報
・処方情報：ユーザが病院および薬局などで受けた処方箋などに関する情報
・運動関連情報：ユーザの運動などに関する情報
・食事関連情報：ユーザの食事などに関する情報
なお、疾患リスクのリスク度は、例えば、統計や論文データ等に基づく、疾患の平均的な発症率を１とした場合の、ユーザの該疾患の発症率の平均的な発症率に対する相対値で示されてもよいし、ユーザが疾患を発症する可能性を１０段階で評価した値で示されてもよいし、特に限定されない。
【００４５】
ここで、疾患リスク情報の一例について、図３を参照して説明する。図３は、本実施形態に係る健康情報ＤＢ２０により管理されているユーザ毎の疾患リスク情報の一例を示す表である。図３に示すように、健康情報ＤＢ２０において、ユーザ毎に、各疾患の疾患リスクが管理されている。例えば、ユーザＩＤが１００００１であるユーザの疾患リスクは、疾患Ａが１．６（つまり、平均的な疾患Ａの発症率の１．６倍）、疾患Ｂが０．９、疾患Ｃが２、疾患Ｄが０．４である。
【００４６】
また、健康診断情報、処方情報、運動関連情報、および食事関連情報は、例えば、情報管理サーバ１０が、ユーザ端末３０において実行されるアプリケーション、または、ウェブブラウザなどから入力された情報を、ネットワークを介して取得すればよい。また、運動関連情報は、例えば、ユーザが使用する健康器具などからネットワークを介して取得されてもよい。
【００４７】
また、ユーザに関する情報には、さらに、情報管理サーバ１０がユーザの健康管理を効果的に支援するための、以下の情報が含まれる。
・ユーザグループ情報：各ユーザが属するユーザグループを規定する情報
・報酬情報：各ユーザに付与された報酬に関する情報
・アクション情報：各ユーザに設定されたアクションを示す情報
・実施状況・成果情報：各ユーザによるアクションの実施状況およびアクションの成果を示す情報
なお、アクション情報は「目標情報」と記載することもある。また、実施状況・成果情報は「達成情報」と記載することもある。また、各ユーザによるアクションの実施状況およびアクションの成果を包括して、アクションの「達成度合い」と記載することもある。
【００４８】
また、アクションの実施状況は、特に、ユーザが行うべき行動（行動目標）であるアクションの実施状況を指し、アクションの成果は、特に、ユーザが達成すべき目標（結果目標）であるアクションの任意の時点での成果を指す。これらの情報は、過去の各時点における情報が蓄積されていることが好ましい。また、アクションを継続的に達成している達成期間の長さを示す情報（継続情報）が実施状況・成果情報に含まれていることが好ましい。
【００４９】
なお、ユーザに関する情報（ユーザＩＤを除く）、および、ユーザの健康に関する情報は、それぞれ対応するユーザＩＤに関連づけられて格納されている。
【００５０】
また、関連情報には、例えば以下の情報が含まれる。
・因子−疾患相関情報：因子と疾患との相関関係を示す情報
・統計情報：疾患や因子に関する統計的な情報
・因子関連情報：因子の性質、および、因子による健康への影響、アドバイスなどに関する情報
・疾患関連情報：疾患の性質などに関する情報
ここで、因子と疾患との相関関係について、図４を参照して説明する。図４は、本実施形態に係る健康情報ＤＢ２０により管理されている因子−疾患相関情報の一例を示す表である。図４に示すように、例えば、因子「肥満」は、疾患Ｄ、疾患Ｅ、疾患Ｆ、および疾患Ｇの発症に関係しており、因子「喫煙」は、疾患Ｃ、疾患Ｄ、疾患Ｅ、疾患Ｆ、および疾患Ｈの発症に関係している。換言すれば、因子「肥満」は、疾患Ｄ、疾患Ｅ、疾患Ｆ、および疾患Ｇの少なくとも何れかが発症する要因になり得、また、因子「喫煙」は、疾患Ｃ、疾患Ｄ、疾患Ｅ、疾患Ｆ、および疾患Ｈの少なくとも何れかが発症する要因になり得る。
【００５１】
また、統計情報には、例えば、特定の地域および期間における、ある疾患を死因とする死亡者数や、特定の地域および期間における、ある疾患を死因とする死亡者数の全死亡者数に対する割合等が含まれ得る。
【００５２】
なお、ユーザに関する情報、および、関連情報に含まれる情報は、上述の情報に限定されるものではない。例えば、関連情報には、上述の情報に加えて、因子および疾患の少なくとも何れかに関する詳細な情報が含まれていてもよいし、因子を含むユーザ向けメッセージが含まれていてもよいし、疾患に関するアドバイスが含まれていてもよい。
【００５３】
（ユーザ端末）
ユーザ端末３０は、情報管理サーバ１０との間で情報のやり取りを行う。なお、ユーザ端末３０としては、例えば、ＰＣ（パーソナルコンピュータ）、携帯電話、スマートフォン、および、タブレット端末などを挙げることができるが、本実施形態はこれらに限定されるものではない。ユーザ端末３０の具体的な構成については、参照する図面を替えて後述する。
【００５４】
（検査装置）
検査装置４０は、ユーザの被験体サンプルが送付される所定の機関に設置された装置であって、送付された被験体サンプルからユーザの遺伝子を解析する装置である。なお、検査装置４０については従来の装置を使用することができるため、ここではその詳細な説明は省略する。
【００５５】
検査装置４０は、ユーザの遺伝子の解析結果を上述のユーザ基本情報の１つとして、健康情報ＤＢ２０に格納する。また、本実施形態では、検査装置４０は、ユーザの遺伝子の解析結果に基づき、該ユーザの各疾患の疾患リスクを算出すると共に、算出した疾患リスクを該ユーザの疾患リスク情報として健康情報ＤＢ２０に格納する。
【００５６】
検査装置４０は、ユーザの遺伝子に含まれる遺伝子マーカー（例えば、ＳＮＰ）を直接検出するものであってもよいし、ユーザの遺伝子のシーケンスデータを読み取り、当該シーケンスデータから遺伝子マーカーを検出するものであってもよい。そして、検査装置４０は、検出した遺伝子マーカーと各種の疾患との関連性情報を参照して、ユーザの各疾患の疾患リスクを算出する。遺伝子マーカーと各種の疾患との関連性情報は、例えば、種々の研究論文情報を根拠として予め作成されたものであり得る。
【００５７】
なお、検査装置４０においてユーザの各疾患の疾患リスクを算出する構成を例に挙げて説明したが、本発明はこれに限定されるものではない。例えば、情報管理サーバ１０が、健康情報ＤＢ２０に格納されている健康情報の解析結果を参照してユーザの遺伝子の解析結果から該ユーザの各疾患の疾患リスクを算出し、健康情報ＤＢ２０に格納する構成を採用することもできる。また、情報管理サーバ１０が、ユーザの遺伝子のシーケンスデータから遺伝子マーカーを検出してもよい。
【００５８】
（カウンセラー端末）
カウンセラー端末４５は、健康情報ＤＢ２０にネットワークを介して接続されている。カウンセラー端末４５を用いることにより、カウンセラーは、ユーザとのカウンセリングの際に、健康情報ＤＢ２０から、ユーザに関する情報（ユーザ基本情報、疾患リスク情報、健康診断情報、処方情報、運動関連情報、食事関連情報等）および関連情報（因子−疾患相関情報、統計情報、因子関連情報、疾患関連情報等）を参照することができる。カウンセラーは、特に、ユーザの疾患リスク情報と、因子−疾患相関情報とを組み合わせることにより、適切なアクションの候補を選定することができる。なお、ユーザに関する情報の一部は、カウンセラーの閲覧が禁止されていてもよい。
【００５９】
また、カウンセラー端末４５は、健康情報ＤＢ２０に設定したアクションを登録することや、ユーザ端末３０との間でテレビ電話等によるカウンセリングを行うためにも使用することができる。
【００６０】
なお、カウンセラー端末４５としては、例えば、ＰＣ（パーソナルコンピュータ）、携帯電話、スマートフォン、および、タブレット端末などを挙げることができるが、本実施形態はこれらに限定されるものではない。
【００６１】
〔情報管理サーバ、ユーザ端末の構成〕
次に、本実施形態に係る健康管理システム１に含まれる情報管理サーバ１０およびユーザ端末３０の構成について、図１を参照して説明する。図１は、本実施形態に係る情報管理サーバ１０およびユーザ端末３０の構成および機能を示すブロック図である。なお、図１では、説明の簡単化のため、健康管理システム１の備える情報管理サーバ１０、健康情報ＤＢ２０およびユーザ端末３０のみを図示し、他の構成は省略している。
【００６２】
（情報管理サーバの構成）
図１に示すように、本実施形態に係る情報管理サーバ１０は、通信部（入力受付手段、参考情報提示手段、報酬提示手段）１０１、および制御部１１０を備えており、制御部１１０は、アクション情報抽出部（ユーザ特定手段）１０２、実施状況・成果情報更新部１０３、報酬付与部（報酬対象特定手段）１０４、表示画面生成部（参考情報提示手段、報酬提示手段）１０５、および、ユーザグループ実施状況・成果情報抽出部（グループ特定手段）１０６としての機能を有している。
【００６３】
通信部１０１は、ユーザ端末３０とネットワークを介して無線通信を行うインターフェースである。通信部１０１は、ユーザ端末３０から送信されるユーザＩＤを受信する。通信部１０１は、受信したユーザＩＤを、アクション情報抽出部１０２に供給する。通信部１０１は、また、ユーザ端末３０から送信される実施状況・成果情報を、実施状況・成果情報更新部１０３に供給する。
【００６４】
アクション情報抽出部１０２は、ユーザＩＤの示すユーザを、健康情報ＤＢ２０に格納されているユーザ基本情報により特定する。制御部１１０の各部は、アクション情報抽出部１０２が特定したユーザ（以降、特定ユーザと記載する）について、以下の処理を行う。
【００６５】
また、アクション情報抽出部１０２は、特定ユーザに関する情報のうち、報酬情報、アクション情報、および、実施状況・成果情報を、健康情報ＤＢ２０から抽出する。アクション情報抽出部１０２は、抽出した各情報を表示画面生成部１０５に供給し、実施状況・成果入力画面を生成させる。
【００６６】
実施状況・成果情報更新部１０３は、通信部１０１において受信された実施状況・成果情報によって、健康情報ＤＢ２０における特定ユーザに関する実施状況・成果情報を更新する。その際に、実施状況・成果情報更新部１０３は、健康情報ＤＢ２０に蓄積された過去の各時点における実施状況・成果情報と、現時点における実施状況・成果情報とから、アクションを継続的に達成している達成期間の長さを示す継続情報を算出し、健康情報ＤＢ２０における実施状況・成果情報に含まれる継続情報を更新する。
【００６７】
また、実施状況・成果情報更新部１０３は、算出した継続情報を報酬付与部１０４に提供する。また、実施状況・成果情報更新部１０３は、ユーザグループ実施状況・成果情報抽出部１０６にソーシャル画面の生成のための情報の抽出を開始させる。
【００６８】
報酬付与部１０４は、実施状況・成果情報更新部１０３が算出した継続情報が閾値を超えたか否かを判定する。閾値は、一種類に限定されず、アクション毎に個別に設けられていてもよいし、複数段階の閾値が設けられていてもよい。そして、実施状況・成果情報更新部１０３が算出した継続情報が閾値を超えていた場合、表示画面生成部１０５に報酬画像を含む表示画面を生成させる。
【００６９】
表示画面生成部１０５は、ユーザ端末３０に配信するための表示画面を生成する。ここで、表示画面を生成するとは、ユーザ端末３０において当該表示画面を表示するために参照されるデータ（例えば、ＨＴＭＬ形式のデータ、ＸＭＬ形式のデータなど）を生成することを含む。
【００７０】
ユーザグループ実施状況・成果情報抽出部１０６は、特定ユーザに関する情報のうち、ユーザグループ情報を、健康情報ＤＢ２０から抽出する。そして、ユーザグループ実施状況・成果情報抽出部１０６は、当該ユーザグループ情報をキーとして、特定ユーザが属するユーザグループのメンバー（他のユーザ）に関する実施状況・成果情報を、健康情報ＤＢ２０から抽出する。ユーザグループ実施状況・成果情報抽出部１０６は、抽出した各情報を表示画面生成部１０５に供給し、ソーシャル画面を生成させる。
【００７１】
（ユーザ端末の構成）
ユーザ端末３０は、図１に示すように、通信部３０１、制御部３０２、表示部３０３、および、操作部３０４を備えている。
【００７２】
通信部３０１は、情報管理サーバ１０とネットワークを介して無線通信を行う手段である。通信部３０１は、情報管理サーバ１０の通信部１０１から、当該ユーザ端末３０に表示する表示画面を示す表示画面データを受信する。例えば、ＨＴＭＬ形式で受信された表示画面データは、ユーザ端末３０のブラウザ等で表示される。
【００７３】
操作部３０４は、ユーザ端末３０に対するユーザ操作を受け付ける。例えば、操作部３０４は、当該ユーザ端末３０を使用するユーザを示すユーザＩＤの入力を受け付ける。また、操作部３０４は、ユーザからのアクションの実施状況および成果の入力を受け付ける。
【００７４】
制御部３０２は、ユーザ端末３０の備える各部を統合的に制御する。また、制御部３０２は、通信部３０１において受信した表示画面データの示す表示画面を表示するよう表示部３０３を制御する。さらに、制御部３０２は、操作部３０４を操作することにより入力されたユーザＩＤおよび実施状況・成果情報を情報管理サーバ１０に送信するよう通信部３０１を制御する。
【００７５】
〔処理の流れ〕
次に、本実施形態に係る情報管理サーバ１０における処理の流れについて、図４を参照して説明する。図４は、情報管理サーバ１０、および、ユーザ端末３０における処理の流れを示すシーケンス図である。なお、以下では、一つのユーザ端末３０と情報管理サーバ１０との間の処理について説明するが、情報管理サーバ１０は、多数のユーザ端末３０との間で処理を行うことは当然である。
【００７６】
（ステップＳ１０３）
まず、ユーザ端末３０の通信部３０１は、情報管理サーバ１０の通信部１０１に対して、ユーザＩＤを通知する。また、情報管理サーバ１０の通信部１０１は、当該ユーザＩＤを取得する。
【００７７】
（ステップＳ１０４）
情報管理サーバ１０のアクション情報抽出部１０２は、健康情報ＤＢ２０にアクセスしてユーザに関する情報を参照し、ステップＳ１０１にて取得されたユーザＩＤによりユーザを特定すると共に、該ユーザＩＤに関連付けられたアクション情報および実施状況・成果情報を健康情報ＤＢ２０から抽出する。アクション情報抽出部１０２は、健康情報ＤＢ２０から抽出したアクション情報および実施状況・成果情報を画面生成部１０５に供給する。
【００７８】
画面生成部１０５は、アクション情報抽出部１０２から提供されたアクション情報および実施状況・成果情報を参照して、ユーザに設定された各アクションについて、実施状況または成果の入力が可能な画面である実施状況・成果入力画面を生成する。
【００７９】
なお、実施状況・成果入力画面には、ユーザの過去の実施状況および成果を含めてもよい。また、実施状況・成果入力画面には、ユーザに既に付与されている報酬を示す画像を含めてもよい。
【００８０】
図５は、表示画面生成部１０５によって生成され、ユーザ端末３０の表示部３０３に表示される実施状況・成果入力画面の一例である実施状況・成果入力画面５０を示す。以下では、実施状況・成果入力画面に含まれる各要素について具体的に説明するが、これらの要素は、表示画面生成部１０５が処理を行うことによって表示画面に含まれるものであることは言うまでもない。
【００８１】
報酬画像５０２は、ユーザに対して付与されている報酬を示す画像である。当該報酬が何を示しているかは後述する。
【００８２】
ソーシャル要素５０３は、については後述する。
【００８３】
図５に示す実施状況・成果入力画面５０の入力受付要素５１０は、ユーザに設定された行動目標であるアクションの実施状況を入力するための要素である。ユーザは、ポインティングデバイス等の各種選択手段により入力受付要素５１０に含まれるアイコンを選択するか、キーボード等の各種入力手段により入力受付要素５１０への入力を行うことにより、各実施状況を入力することができる。
【００８４】
図６に示す入力受付要素５１０ａは、ユーザに設定された結果目標であるアクションの成果を入力するための要素である。ユーザは、入力受付要素５１０と同様、ポインティングデバイス等の各種選択手段により入力受付要素５１０ａに含まれるアイコンを選択するか、キーボード等の各種入力手段により入力受付要素５１０ａへの入力を行うことにより、各成果を入力することができる。
【００８５】
また、実施状況・成果入力画面５０では、入力受付要素５１０および入力受付要素５１０ａが切り替え可能に表示されるようになっている。これにより、ユーザは、ユーザに設定されたアクションの実施状況および成果を入力可能になっている。
【００８６】
過去成果要素５１０は、ユーザに設定された結果目標であるアクションについて、これまでのユーザの成果がどのようなものであったかを表示する要素である。図５では、過去成果要素５１０はグラフであり、アクションの内容から導かれる目標値に対応する折れ線５２１と、ユーザの成果に対応する折れ線５２２とを含んでいる。
【００８７】
過去実施状況要素５２３は、ユーザに設定された行動目標であるアクションについて、これまでのユーザの実施状況がどのようなものであったかを表示する要素である。
【００８８】
（ステップＳ１０５）
情報管理サーバ１０は、表示画面生成部１０５が生成した実施状況・成果入力画面を、通信部１０１を介してユーザ端末３０に配信する。ユーザ端末３０の制御部３０２は、情報管理サーバ１０から通信部３０１を介して取得した実施状況・成果入力画面を、表示部３０３に表示させる。
【００８９】
（ステップＳ１０６）
まず、ユーザ端末３０の通信部３０１は、情報管理サーバ１０の通信部１０１に対して、操作部３０４を介してユーザから入力された実施状況・成果情報を送信する。情報管理サーバ１０の通信部１０１は、ユーザ端末３０からの実施状況・成果情報の入力を受け付ける。
【００９０】
（ステップＳ１０７）
情報管理サーバ１０の実施状況・成果情報更新部１０３は、通信部１０１が受け付けたユーザ端末３０から入力された実施状況・成果情報によって、健康情報ＤＢ２０を更新する。このとき、実施状況・成果情報更新部１０３は、健康情報ＤＢ２０に蓄積された過去の各時点における実施状況・成果情報と、現時点における実施状況・成果情報とから、アクションを継続的に達成している達成期間の長さを示す継続情報を算出し、健康情報ＤＢ２０における実施状況・成果情報に含まれる継続情報を更新する。
【００９１】
（ステップＳ１０８）
報酬付与部１０４は、実施状況・成果情報に含まれる継続情報を参照して、当該達成期間の長さが閾値を超えたか否かを判定する。閾値は、一種類に限定されず、アクション毎に個別に設けられていてもよいし、複数段階の閾値が設けられていてもよい。そして、実施状況・成果情報更新部１０３が算出した継続情報が閾値を超えていた場合、報酬付与部１０４は、健康情報ＤＢ２０におけるユーザに関連付けられた報酬情報を更新することによって、ユーザに対し達成期間の長さが閾値を超えたことを示す報酬を付与する。
【００９２】
そして、報酬付与部１０４は、表示画面生成部１０５に、ユーザに対して付与された報酬を示す報酬画像を含む表示画面を生成させる。報酬画像は、例えば、実施状況・成果入力画面の一部に表示させる態様であってもよい。
【００９３】
例えば、報酬付与部１０４は、達成期間が１０日に達したときに、報酬画像が所定のバッジである報酬を付与し、達成期間が３０日に達したときに、報酬画像が異なるバッジである報酬を付与するようにしてもよい。
【００９４】
（ステップＳ１０９）
情報管理サーバ１０は、表示画面生成部１０５が生成した報酬画像を含む表示画面を、通信部１０１を介してユーザ端末３０に配信する。ユーザ端末３０の制御部３０２は、情報管理サーバ１０から通信部３０１を介して取得した報酬画像を含む表示画面を、表示部３０３に表示させる。
【００９５】
達成期間の長さ、換言すれば、行動の継続性は、健康管理において重要な要素である。このような要素が閾値を超えたことを示す情報をユーザに提示することにより、行動の継続に対する心理的報酬をユーザに与え、ユーザの健康管理のための行動の継続性へのモチベーションをより高め、ユーザによる健康管理をより効果的に支援することができる。
【００９６】
（ステップＳ１１０）
ユーザグループ実施状況・成果情報抽出部１０６は、特定ユーザに関する情報のうち、ユーザグループ情報を、健康情報ＤＢ２０から抽出する。そして、ユーザグループ実施状況・成果情報抽出部１０６は、当該ユーザグループ情報をキーとして、特定ユーザが属するユーザグループのメンバー（他のユーザ）に関する実施状況・成果情報を、健康情報ＤＢ２０から抽出する。
【００９７】
例えば、特定ユーザのユーザグループ情報が、「アクションに減量が含まれている３０代の男性」である場合、ユーザグループ実施状況・成果情報抽出部１０６は、まず、図３の（ａ）に示すような、アクションに減量が含まれている男性のユーザの情報を示す表を、健康情報ＤＢ２０から抽出する。そして、ユーザグループ実施状況・成果情報抽出部１０６は、その中で年代が３０代であるユーザを抽出し、成果（体重の減量）を指標として順位付けして、特定ユーザが属するユーザグループのメンバーについての情報を示す図３の（ｂ）に示すような表を生成する。
【００９８】
そして、ユーザグループ実施状況・成果情報抽出部１０６は、生成した上記ユーザグループのメンバーについての情報を示す表を画面生成部１０５に提供に供給し、ソーシャル画面を生成させる。上記ユーザグループのメンバーについての情報を示す表には、上記ユーザグループに属する、他のユーザ（特定ユーザとは異なるメンバー）の実施状況・成果情報が含まれているため、画面生成部１０５は、当該ユーザグループに属する他のユーザの実施状況・成果情報を参照してソーシャル画面を生成することができる。
【００９９】
なお、各ユーザのユーザグループ情報は、少なくとも一つの共通する種類のアクションが設定されていることを条件として特定されたユーザグループを示すものであればよい。共通する種類のアクションとは、例えば、特定の因子に関連するアクションや、特定の疾患に関連するアクションであり得る。また、ユーザグループの特定のための他の条件としては、上述した性別および年代の他、ユーザが属する地域が挙げられる。
【０１００】
また、本実施形態は、ユーザグループの特定のための条件を、ユーザグループ情報として、予めユーザ毎に関連付けて健康情報ＤＢ２０に記憶しておく構成であるが、本発明はこれに限定されない。例えば、ユーザグループ毎に、メンバーのリストを保存するデータを、健康情報ＤＢ２０に記憶しておく構成であってもよい。
【０１０１】
表示画面生成部１０５は、ユーザグループ実施状況・成果情報抽出部１０６から供給された情報を参照してソーシャル画面を生成する。ソーシャル画面には、特定ユーザが属するユーザグループに属する他のユーザの実施状況・成果情報を参照して生成した各種参考情報が含まれる。そのような参考情報としては、これらに限定するものではないが、例えば、ユーザグループに属する他のユーザの実施状況および成果の分布を示す情報（実施状況または成果の分布図、アクションを達成したユーザ数、アクションを達成したユーザの割合等）、および、当該分布に対して特定ユーザの実施状況および成果の対応する位置を示す情報（実施状況および成果の分布図における参考情報が提示されるユーザの対応位置、特定ユーザの実施状況または成果のユーザグループ内の順位、初めてアクションを達成したのが特定ユーザか否か等）の少なくとも一方を含むものであり得る。
【０１０２】
図７は、表示画面生成部１０５によって生成され、ユーザ端末３０の表示部３０３に表示されるソーシャル画面の一例であるソーシャル画面５３０を示す。図７に示すように、ソーシャル画面５３０には、他のユーザの実施状況または成果の分布を示す画像５３２が含まれている。また、ソーシャル画面５３０には、さらに、当該分布に対する特定ユーザの実施状況または成果の対応する位置を示す画像５３１が含まれている。このようなソーシャル画面５３０によれば、他のユーザの実施状況または成果、および、特定ユーザと、他のユーザとの、実施状況または成果の違いを容易に把握することができる。
【０１０３】
なお、ソーシャル画面に含まれる参考情報は、他の表示画面においてユーザに提示してもよい。例えば、図５に示すように、実施状況・成果入力画面５０において、ソーシャル要素５０３を表示させてもよい。図５に示すように、ソーシャル要素５０３は、前日の成果（減量幅）についての、ユーザグループ内における特定ユーザの順位を示すものであり、これは、他のユーザの成果の分布に対する特定ユーザの成果の対応する位置を示す。
【０１０４】
（ステップＳ１１１）
情報管理サーバ１０は、表示画面生成部１０５が生成したソーシャル画面を、通信部１０１を介してユーザ端末３０に配信する。
【０１０５】
（ステップＳ１１２）
ユーザ端末３０の制御部３０２は、情報管理サーバ１０から通信部３０１を介して取得したソーシャル画面を、表示部３０３に表示させる。
【０１０６】
以上のように、情報管理サーバ１０は、ユーザに対し、共通する種類の目標を有するユーザグループの他のユーザの実施状況・成果情報を参照して生成したソーシャル画面またはソーシャル要素を提示するという新規な仕組みにより、他のユーザに勝ちたい、といった競争心や、他のユーザが頑張っているので自分も頑張ろう、といった協調心等を喚起して、ユーザの健康管理へのモチベーションを高め、ユーザによる健康管理を効果的に支援することができる。
【０１０７】
特に、ソーシャル画面またはソーシャル要素が、ユーザグループに属する他のユーザの実施状況または成果の分布を示す情報、および、当該分布に対して特定ユーザの実施状況または成果の対応する位置を示す情報の少なくとも一方を含むことにより、上記参考情報を提示されたユーザは、他のユーザの実施状況および成果や、他のユーザと自分との実施状況および成果の違いを容易に把握することができる。これにより、ユーザに対し、首尾よく、競争心や協調心等を喚起して、ユーザの健康管理へのモチベーションをより高め、ユーザによる健康管理をより効果的に支援することができる。
【０１０８】
特に、行動目標であるアクションの実施状況を示す実施状況・成果情報が、当該行動目標を継続的に達成している達成期間の長さを示す継続情報を含む場合、表示画面生成部１０５が、上記参考情報を生成するときに、当該達成期間の長さを参照することができる。達成期間の長さ、換言すれば、行動の継続性は、健康管理において重要な要素であり、このような要素について他のユーザに関する情報を提示することにより、ユーザの健康管理のための行動の継続性へのモチベーションをより高め、ユーザによる健康管理をより効果的に支援することができる。
【０１０９】
（ソーシャル画面の提示のタイミングについて）
上述した処理の流れでは、情報管理サーバ１０（の表示画面生成部１０５および通信部１０１）は、情報管理サーバ１０に実施状況・成果情報を送信したユーザ端末３０に対してソーシャル画面を生成し、配信している。これにより、ユーザがユーザ端末３０に注視しているタイミングにおいて、首尾よく、ユーザにソーシャル画面を提示することができる。
【０１１０】
但し、ユーザにソーシャル画面を提示するタイミングはこれに限定されず、任意のタイミングでユーザにソーシャル画面をプッシュ通知してもよい。これにより、ユーザが自発的に情報管理サーバにアクセスせずとも、ユーザに対してソーシャル画面を提示することができるため、ユーザにおいてモチベーションが失われることを好適に防止することができる。
【０１１１】
プッシュ通知の方法は特に限定されず、電子メールにて通知する方法、プッシュ通知を受信するためのアプリケーションをユーザ端末において実行させる方法等、公知の方法を用いることができる。
【０１１２】
（他の機能について）
情報管理サーバ１０は、さらに、ユーザの飲食内容を制限するアクションが設定されているユーザに対して、（ｉ）当該ユーザが摂取すべき食材、（ｉｉ）当該食材を使用する食事メニューおよびレシピ等を提示してもよい。
【０１１３】
例えば、ステップＳ１０４において、画面生成部１０５は、アクション情報抽出部１０２から提供されたアクション情報に、ユーザの飲食内容を制限するアクションが含まれていた場合に、健康情報ＤＢ２０から、当該アクションに対応する食材情報、メニューおよびレシピ情報を抽出し、これらの情報を含む実施状況・成果入力画面を生成してもよい。
【０１１４】
また、情報管理サーバ１０は、併せて、ユーザから食事記録の入力、上記食材の配送依頼等を受け付けるようにしてもよい。
【０１１５】
また、情報管理サーバ１０は、ユーザグループ内のコミュニケーションを支援する機能を提供してもよい。コミュニケーションの例としては、他のユーザに対する応援、評価、アドバイス等が挙げられる。
【０１１６】
（付記事項１）
なお、情報管理サーバ１０が関連情報を健康情報ＤＢ２０から抽出（取得）する構成を例に挙げて説明したが、これに限定されるものではない。情報管理サーバ１０は、例えば、ネットワークを介して外部のサーバおよびデータベースなどの装置から関連情報を取得してもよい。
【０１１７】
（付記事項２）
情報管理サーバ１０は、表示画面が複数のページから成る場合、これら複数のページを一部分ずつユーザ端末３０に送信する構成としてもよいし、これら複数のページを一括してユーザ端末３０に送信する構成としてもよい。
【０１１８】
（付記事項３）
また、健康管理システム１では、疾患リスク情報、などの各情報が健康情報ＤＢ２０に格納されている場合を例に挙げて説明したが、これは本実施形態を限定するものではない。例えば、疾患リスク情報など、健康情報ＤＢ２０に格納されている１つ以上の情報が情報管理サーバ１０の備える記憶部（不図示）に格納されていてもよいし、健康情報ＤＢ２０に格納されている１つ以上の情報が１または複数の他のＤＢに格納されていてもよい。また、健康情報ＤＢ２０に格納されている１つ以上の情報は、必要に応じて取得されるものであってもよい。
【０１１９】
（付記事項４）
さらに、情報管理サーバ１０と健康情報ＤＢ２０とは一体のサーバとして実現してもよいし、情報管理サーバ１０の有する機能（具体的には、アクション情報抽出部１０２、実施状況・成果情報更新部１０３、報酬付与部１０４、表示画面生成部１０５、および、ユーザグループ実施状況・成果情報抽出部１０６の有する機能）を複数のサーバによって実現する構成としてもよい。
【０１２０】
〔ソフトウェアによる実現例〕
情報管理サーバ１０およびユーザ端末３０の制御ブロック（特に、制御部１１０のアクション情報抽出部１０２、実施状況・成果情報更新部１０３、報酬付与部１０４、表示画面生成部１０５、および、ユーザグループ実施状況・成果情報抽出部１０６、ならびに、制御部３０２）は、集積回路（ＩＣチップ）等に形成された論理回路（ハードウェア）によって実現してもよいし、ＣＰＵ（Central Processing Unit）を用いてソフトウェアによって実現してもよい。
【０１２１】
後者の場合、情報管理サーバ１０およびユーザ端末３０は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０１２２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１２３】
本発明は、健康管理を支援するサーバに好適に利用することができる。
【符号の説明】
【０１２４】
１      健康管理システム
１０    情報管理サーバ
２０    健康情報ＤＢ
３０    ユーザ端末（端末装置）
４０    検査装置
１０１  通信部（入力受付手段、参考情報提示手段、報酬提示手段）
１０２  アクション情報抽出部（ユーザ特定手段）
１０３  実施状況・成果情報更新部
１０４  報酬付与部（報酬対象特定手段）
１０５  表示画面生成部（参考情報提示手段、報酬提示手段）
１０６  ユーザグループ実施状況・成果情報抽出部（グループ特定手段）
１１０  制御部
３０１  通信部
３０２  制御部
３０３  表示部
３０４  操作部
【図１】
0006593980.tif 000002
【図２】
0006593980.tif 000003
【図３】
0006593980.tif 000004
【図４】
0006593980.tif 000005
【図５】
0006593980.tif 000006
【図６】
0006593980.tif 000007
【図７】
0006593980.tif 000008